(57)【要約】【課題】動的負荷低減制御メッセージングが提供される。【解決手段】システムが、コンピュータ実行可能命令を格納するメモリと、メモリにアクセスするように構成されたプロセッサとを含み、プロセッサは、コンピュータ実行可能命令を実行するように構成される。コンピュータ実行可能命令は、プロセッサによって、需要応答装置に対するマルチキャストの負荷制御命令を受信し、マルチキャストの負荷制御命令に少なくとも一部基づいて、ユニキャストの負荷制御命令を生成し、プロセッサに連結された送信装置によって、ユニキャストの負荷制御命令をホームエリアネットワーク（ＨＡＮ）装置に送信するように動作可能とする。【選択図】図１
2014142932.tif 000002
【特許請求の範囲】
【請求項１】
コンピュータ実行可能命令を格納する少なくとも１つのメモリと、
前記少なくとも１つのメモリにアクセスするように構成された少なくとも１つのプロセッサであって、前記コンピュータ実行可能命令を実行して、
前記少なくとも１つのプロセッサによって、需要応答装置に対するマルチキャストの負荷制御命令を受信し、
前記マルチキャストの負荷制御命令に一部基づいて、少なくとも１つのユニキャストの負荷制御命令を生成し、
前記少なくとも１つのプロセッサに連結された送信装置によって、前記少なくとも１つのユニキャストの負荷制御命令をホームエリアネットワーク（ＨＡＮ）装置に送信する
ように構成された、少なくとも１つのプロセッサと
を含む、システム。
【請求項２】
前記システムが、高度計測インフラストラクチャ（ＡＭＩ）のネットワーク装置を含み、前記ＨＡＮ装置が、ＨＡＮメータを含む、請求項１記載のシステム。
【請求項３】
前記システムが、計測装置を含み、前記ＨＡＮ装置が、前記需要応答装置を含む、請求項１記載のシステム。
【請求項４】
前記需要応答装置が、需要応答負荷制御（ＤＲＬＣ）装置を含む、請求項１記載のシステム。
【請求項５】
前記マルチキャストの負荷制御命令または前記ユニキャストの負荷制御命令の少なくとも１つが、電力消費量を低減させる命令を含む、請求項１記載のシステム。
【請求項６】
電力消費量を低減させる前記命令が、電力消費量低減の量、電力消費量低減の開始時間、電力消費量低減の長さ、または無作為化インジケータの少なくとも１つを含む、請求項５記載のシステム。
【請求項７】
前記少なくとも１つのユニキャストの負荷制御命令の前記生成が、前記マルチキャストの負荷制御命令と関連する少なくとも１つのグループメンバを識別することを含む、請求項１記載のシステム。
【請求項８】
前記ＨＡＮ装置が、消費者製品、消費者製品を制御するように構成された継電器、またはメータのうちの少なくとも１つを含む、請求項１記載のシステム。
【請求項９】
少なくとも１つのメモリにアクセスするように構成された少なくとも１つのプロセッサによって、需要応答装置に対するマルチキャストの負荷制御命令を受信するステップと、
前記マルチキャストの負荷制御命令に少なくとも一部基づいて、少なくとも１つのユニキャストの負荷制御命令を生成するステップと、
前記少なくとも１つのユニキャストの負荷制御命令をホームエリアネットワーク（ＨＡＮ）装置に送信するステップと
を含む、方法。
【請求項１０】
前記少なくとも１つのプロセッサが、高度計測インフラストラクチャ（ＡＭＩ）のネットワーク装置を制御するための命令を実行するように構成され、前記ＨＡＮ装置が、ＨＡＮメータを含む、請求項９記載の方法。
【請求項１１】
前記少なくとも１つのプロセッサが、計測装置を制御するための命令を実行するように構成され、前記ＨＡＮ装置が、前記需要応答装置を含む、請求項９記載の方法。
【請求項１２】
前記需要応答装置が、需要応答負荷制御（ＤＲＬＣ）装置を含む、請求項９記載の方法。
【請求項１３】
前記マルチキャストの負荷制御命令または前記ユニキャストの負荷制御命令のうちの少なくとも１つが、電力消費量を低減させる命令を含む、請求項９記載の方法。
【請求項１４】
前記電力消費量を低減させる命令が、電力消費量低減の量、電力消費量低減の開始時間、電力消費量低減の長さ、または無作為化インジケータのうちの少なくとも１つを含む、請求項１３記載の方法。
【請求項１５】
前記少なくとも１つのユニキャストの負荷制御命令を生成するステップが、前記マルチキャストの負荷制御命令と関連する少なくとも１つのグループメンバを識別するステップを含む、請求項９記載の方法。
【請求項１６】
前記ＨＡＮ装置が、消費者製品、消費者製品を制御するように構成された継電器、またはメータのうちの少なくとも１つを含む、請求項９記載の方法。
【請求項１７】
少なくとも１つのプロセッサよって実行されるとき、前記少なくとも１つのプロセッサが、
需要応答装置に対する所望の負荷制御構成を決定することと、
前記所望の負荷制御構成に少なくとも一部基づいて、少なくとも１つのマルチキャストの負荷制御メッセージを生成することと、
前記少なくとも１つのマルチキャストの負荷制御メッセージをホームエリアネットワーク（ＨＡＮ）の装置に送信することと
を含む動作を実行するように構成する、コンピュータ実行可能命令を格納する１つまたは複数のコンピュータ可読媒体。
【請求項１８】
前記送信することが、ヘッドエンドサーバによって行われ、前記マルチキャストの負荷制御メッセージが、高度計測インフラストラクチャ（ＡＭＩ）のネットワーク装置に送信される、請求項１７記載のコンピュータ可読媒体。
【請求項１９】
前記マルチキャストの負荷制御命令が、電力消費量を低減させる命令を含む、請求項１７記載のコンピュータ可読媒体。
【請求項２０】
前記電力消費量を低減させる命令が、電力消費量低減の量、電力消費量低減の開始時間、電力消費量低減の長さ、または無作為化インジケータのうちの少なくとも１つを含む、請求項１９記載のコンピュータ可読媒体。
【発明の詳細な説明】
【技術分野】
【０００１】
開示の実施形態は、概して高度計測インフラストラクチャ（ａｄｖａｎｃｅｄ  ｍｅｔｅｒｉｎｇ  ｉｎｆｒａｓｔｒｕｃｔｕｒｅ、ＡＭＩ）のスマートメータ装置に関し、より詳細には、ＡＭＩを用いた動的負荷低減制御メッセージングのためのシステムおよび方法に関する。
【背景技術】
【０００２】
多種多様な従来の需給メータ（ｕｔｉｌｉｔｙ  ｍｅｔｅｒ）は、消費量を測定するおよび／または他のネットワーク装置と通信するように構成することができる。例えば、従来のスマートメータは、消費量データおよび／または他の監視データを含んだメッセージを、家庭用器具ならびにサーバおよび／またはコントローラに送信するように構成することができる。需給メータで利用することができる任意の通信ネットワークまたは通信技術を用いると、ごくわずかであるが、エネルギーを消費する。例えばネットワークの無線は、消費量を測定中におよび／またはヘッドエンドサーバと通信中にエネルギーを消費する可能性がある。さらに、この消費の一部は、ピーク時に発生する可能性がある。
【発明の概要】
【課題を解決するための手段】
【０００３】
上記の必要および／または問題の一部または全部は、開示のいくつかの実施形態によって対処することができる。いくつかの実施形態は、需要応答負荷制御（ｄｅｍａｎｄ  ｒｅｓｐｏｎｓｅ  ｌｏａｄ  ｃｏｎｔｒｏｌ、ＤＲＬＣ）メッセージングのような、動的負荷低減制御メッセージングのためのシステムおよび方法を含むことができる。
【０００４】
開示の一実施形態により、コンピュータ実行可能命令を格納する少なくとも１つのメモリと、少なくとも１つのメモリにアクセスするように構成された少なくとも１つのプロセッサとを含むことができ、少なくとも１つのプロセッサが、コンピュータ実行可能命令を実行するように構成される、システムを開示する。コンピュータ実行可能命令は、少なくとも１つのプロセッサによって、需要応答装置に対するマルチキャストの負荷制御命令を受信し、マルチキャストの負荷制御命令に少なくとも一部基づいて、少なくとも１つのユニキャストの負荷制御命令を生成し、少なくとも１つのプロセッサに連結された送信装置によって、少なくとも１つのユニキャストの負荷制御命令をホームエリアネットワーク（ＨＡＮ）装置に送信するように動作可能とすることができる。
【０００５】
さらに、開示の別の実施形態により、少なくとも１つのメモリにアクセスするように構成された少なくとも１つのプロセッサによって、需要応答装置に対するマルチキャストの負荷制御命令を受信することと、マルチキャストの負荷制御命令に少なくとも一部基づいて、少なくとも１つのユニキャストの負荷制御命令を生成することと、少なくとも１つのユニキャストの負荷制御命令をホームエリアネットワーク（ＨＡＮ）装置に送信することとを含むことができる方法を開示する。
【０００６】
開示の別の実施形態により、コンピュータ実行可能命令を格納する１つまたは複数のコンピュータ可読媒体を開示する。コンピュータ実行可能命令は、少なくとも１つのプロセッサによって実行されるとき、少なくとも１つのプロセッサを、需要応答装置に所望の負荷制御構成を決定することと、所望の負荷制御構成に少なくとも一部基づいて、少なくとも１つのマルチキャストの負荷制御メッセージを生成することと、少なくとも１つのマルチキャストの負荷制御メッセージをホームエリアネットワーク（ＨＡＮ）装置に送信することとを含む操作を行うように構成する。
【０００７】
次の詳細な説明、添付の図面、および添付の特許請求の範囲から当業者には、開示の他の実施形態、システム、方法、コンピュータ可読媒体、態様、および特徴が明らかとなるであろう。
【０００８】
次に添付の図面を参照する。これらは必ずしも比例尺で描かれていない。
【図面の簡単な説明】
【０００９】
【図１】開示の一実施形態による例示的システムを示すコンピュータ環境のブロック図である。
【図２】開示の一実施形態による需要応答負荷制御（ＤＲＬＣ）メッセージを送信するための例示的高度計測インフラストラクチャ（ＡＭＩ）の装置システムの概略図である。
【図３】開示の一実施形態による、需要応答ネットワーク装置のＤＲＬＣメッセージングを実装するための例示的方法の詳細を示すフローチャートである。
【発明を実施するための形態】
【００１０】
次に開示の例示的実施形態について、開示の全部ではないが一部を示す添付の図面を参照して以下にさらに十分に説明する。本開示は、多くの異なる形式で実現することができ、本明細書に示す実施形態に限定されると解釈されるべきではなく、むしろ、これらの実施形態は本開示が適用される法的必要条件を満たすように提供される。同じ数字は、全体を通して同じ要素を指す。
【００１１】
開示の例示的実施形態は、とりわけ、動的負荷低減制御メッセージングのためのシステムおよび方法を対象とする。例えば、いくつかの実施形態では、システムおよび／または方法は、１つまたは複数の計測装置の負荷を制御するための需要応答負荷制御（ＤＲＬＣ）メッセージングを送信することができる。一部の例では、計測装置は、スマートグリッドネットワークまたは他のＡＭＩネットワークと接続することができる。これらの装置には、需要応答メータ、スマートメータ、高度計測インフラストラクチャ（ＡＭＩ）装置、および／またはホームエリアネットワーク（ＨＡＮ）装置が含まれる。一部の態様において、開示のいくつかの実施形態は、マルチキャストのメッセージングを使用して需要応答ネットワーク装置へ負荷制御メッセージおよび／または命令を提供することを対象とすることができる。
【００１２】
例えば、マルチキャストメッセージおよび／または命令は、いくつかの例では、ネットワークインフラストラクチャを通してこれらのメッセージを受信するようにＡＭＩおよび／またはＨＡＮ無線通信を構成することができる、スマートメータに送信することができる。マルチキャストメッセージにより、ＡＭＩネットワークは送信コストを節約し、限られた帯域幅を利用できる間にメッセージを送信することが可能になる。メッセージおよび／または命令は、場合によっては、多くの異なるＨＡＮ装置と通信している可能性があるスマートメータに送信することができる。例示的命令は、多くの異なるＨＡＮ装置をあらかじめ決定された時間量の間、低電力モードにすることである可能性がある。スマートメータは次に、ＨＡＮ装置のそれぞれにユニキャストメッセージを送信することができる。
【００１３】
公益事業会社または他の電気提供業者が、電気を送電網（ｇｒｉｄ）に生成するおよび／または提供するとき、送電網は電気を他のサブネットワークに提供することができる。サブネットワークは、家庭および電気を消費する顧客の建造物を含むことができる。さらにいくつかの例では、送電網は、１つまたは複数の他のサブ送電網、電気網、および／または他の消費者もしくは顧客網を制御するために、電気使用量を示すメッセージをヘッドエンドサーバに送信することができる。ヘッドエンドサーバは、いくつかの例では、各ネットワークが、１つまたは複数のＡＭＩ装置、スマートメータ、ＨＡＮ装置、および／または家庭用器具を含んだ、１つまたは複数の装置のネットワークに命令を提供することができる。したがって、ヘッドエンドサーバは、要素（すなわち、装置）の１つまたは複数を低電力モード（すなわち、負荷制限モード）にするように構成することができる。
【００１４】
例えば、ＡＭＩシステムの一部を低電力モードにして、ＡＭＩ無線通信によって使用される無駄になる可能性のある電力を削減することができる。例示的メッセージは、グループ識別子ＩＤ、開始時間、低電力モードの長さ、および／または低電力モードの長さの無作為化の指示を含むことができる。スマートメータは、これらの命令をユニキャストメッセージとして、スマートメータに通信によりまたは直接に接続された個々のＨＡＮ装置へそれぞれ送信することができる。このように、開示の実施形態のいくつかの技術的効果は、ＤＲＬＣメッセージを送信するための帯域幅要件を制限すること、多くのメッセージがマルチキャストメッセージとして送信することができるので、さらにヘッドエンドサーバからのメッセージのより迅速な実行を含むことがある。
【００１５】
図１は、需要応答ネットワーク装置の需要応答負荷制御メッセージを実行することができる１つのシステム１００の例示的概略を提供する。システムは、インターネット、他の公衆網、および／またはプライベート網のような、ただしこれらに限定されない１つまたは複数のネットワーク１２２に接続するように構成されたヘッドエンドサーバ１２０を含むことができる。
【００１６】
ヘッドエンドサーバ１２０は、ネットワーク１２２を通じて、ＡＭＩネットワーク装置１２４を介し、メータ１２６にメッセージを送信するように構成することもできる。メータ１２６は、ＤＲＬＣ装置１２８を介して通信することもできる。１２８ＡのようなＤＲＬＣ装置は、いかなる数のＨＡＮ器具も含むことができる。様々なメータは、１つまたは複数のネットワーク１２２およびＡＭＩネットワーク装置１２４を介して、ヘッドエンドサーバ１２０によって制御される、または監視されることがある。さらに、上述のように、各メータは、ＮＡＮもしくはＬＡＮ装置と通信するための１つもしくは複数のＡＭＩ無線通信、および／または家庭、会社、建造物、もしくは他の構造物内のＨＡＮ器具もしくは他のＨＡＮ装置と通信するための１つもしくは複数のＨＡＮ装置（もしくは無線）と共に構成される、またはこれと統合されることがある。
【００１７】
１つの例示的構成では、ヘッドエンドサーバ１２０は、少なくとも１つのメモリ１１２と、１つまたは複数の処理ユニット（またはプロセッサ）１０２とを含むことができる。１つまたは複数のプロセッサ１０２は、必要に応じてハードウェア、ソフトウェア、ファームウェア、またはその組合せで実装することができる。１つまたは複数のプロセッサ１０２のソフトウェアまたはファームウェアの実装は、記載する様々な機能を実行するように任意の好適なプログラミング言語で書かれたコンピュータ実行可能命令または機械実行可能命令を含むことができる。
【００１８】
メモリ１１２は、１つまたは複数のプロセッサ１０２でロード可能および実行可能なプログラム命令、ならびにこれらのプログラムの実行中に生成されるデータを格納することができる。ヘッドエンドサーバ１２０の構成および型に応じて、メモリ１１２は、揮発性（例えばランダムアクセスメモリ（ＲＡＭ）など）および／または不揮発性（例えばリードオンリメモリ（ＲＯＭ）、フラッシュメモリなど）とすることができる。またヘッドエンドサーバ１２０は、磁気記憶装置、光ディスク、および／またはテープ記憶装置など、ただしこれらに限定されない、追加の取り外し可能な記憶装置１０８および／または取り外し不可能な記憶装置１１０を含むことができる。ディスクドライブおよびそれに関連するコンピュータ可読媒体は、コンピュータ可読命令、データ構造、プログラムモジュール、および他のデータの不揮発性記憶装置をコンピュータ装置に提供する。いくつかの実施において、メモリ１１２は、スタティックランダムアクセスメモリ（ＳＲＡＭ）、ダイナミックランダムアクセスメモリ（ＤＲＡＭ）またはＲＯＭのような、複数の異なる型のメモリを含むことができる。
【００１９】
メモリ１１２、取り外し可能な記憶装置１０８、および取り外し不可能な記憶装置１１０は、すべてコンピュータ可読記憶媒体の例である。例えば、コンピュータ可読記憶媒体は、コンピュータ可読の命令、データ構造、プログラムモジュール、または他のデータなどの情報を格納する方法または技術で実現された揮発性および不揮発性の、取り外し可能および取り外し不可能な媒体を含むことができる。メモリ１１２、取り外し可能な記憶装置１０８、および取り外し不可能な記憶装置１１０は、すべてコンピュータ格納媒体の例である。存在することのできるコンピュータ記憶媒体のさらなる型は、プログラマブルランダムアクセスメモリ（ＰＲＡＭ）、ＳＲＡＭ、ＤＲＡＭ、ＲＡＭ、ＲＯＭ、電気的消去可能リードオンリメモリ（ＥＥＰＲＯＭ）、フラッシュメモリ、または他のメモリ技術、コンパクトディスクリードオンリメモリ（ＣＤ−ＲＯＭ）、デジタル多用途ディスク（ＤＶＤ）または他の光記憶装置、磁気カセット、磁気テープ、磁気ディスク記憶装置または他の磁気記憶装置、または、所望の情報を格納するために使用することができ、サーバもしくは他のコンピュータ装置がアクセスすることができる他の媒体を含むが、これらに限定されない。上述のいずれかの組合せもまた、コンピュータ可読媒体の範囲内に含まれなければならない。あるいは、コンピュータ可読通信媒体が、搬送波、または他の伝送のようなデータ信号内で伝送される、コンピュータ可読命令、プログラムモジュール、または他のデータを含むことができる。しかしながら、本明細書で使用するコンピュータ可読記憶媒体は、コンピュータ可読通信媒体を含まない。
【００２０】
ヘッドエンドサーバ１２０は、１つまたは複数の通信接続１１８を含むこともでき、これによりヘッドエンドサーバ１２０は、格納されたデータベース、別のコンピュータ装置もしくはサーバ、ユーザ端末、および／またはネットワーク１２２のような、ただしこれに限定されないネットワーク上の他の装置と通信することができる。ヘッドエンドサーバ１２０はまた、キーボード、マウス、ペン、音声入力装置、タッチ入力装置１０４などのような（１つまたは複数の）入力装置１０４と、ディスプレイ、スピーカ、プリンタなどのような（１つまたは複数の）出力装置１０６とを含むこともできる。
【００２１】
より詳細にメモリ１１２の内容を見ると、メモリ１１２は、オペレーティングシステム１１４と、マルチキャストモジュール１１６を含む、本明細書に開示する機能を実行するための１つもしくは複数のアプリケーションプログラムまたはサービスとを含むことができる。一部の実施形態では、マルチキャストモジュールは、様々なＤＲＬＣ対応ＨＡＮ装置を同時に制御するための命令を実装するように構成することができる。一部の例では、マルチキャストモジュール１１６は、１つまたは複数のＤＲＬＣ対応ＨＡＮ装置と関連する情報を受信することができる。例えば、マルチキャストモジュール１１６は、家屋の多くの異なる階のサーモスタットの温度を華氏７４度に変更するための情報を受信することができる。この場合、マルチキャストモジュール１１６は、マルチキャスト命令の形式で情報を符号化することができる。
【００２２】
ヘッドエンドサーバ１２０は、ネットワーク１２２を介してＡＭＩネットワーク装置１２４にマルチキャストメッセージを送信することができる。いくつかの実施形態では、通信は、１つまたは複数の好適なＡＭＩネットワーク装置１２４により容易にされる可能性があるが、セルラネットワークおよび／またはインターネットなど、要望通りに、他のネットワークを通信に利用することができる。ＡＭＩネットワークデバイス１２４は、メータ１２６と通信可能に連結することができる。いくつかの例では、メータ１２６は、需要応答メータ、スマートメータ、ＡＭＩ装置、および／またはＨＡＮ装置を含むことができるが、これらに限定されない。メータ１２６は、ＡＭＩネットワーク装置１２４からマルチキャストメッセージを受信することができる。メータ１２６は、マルチキャストメッセージをユニキャストメッセージに変換して、ＤＬＲＣ装置１２８Ａ〜１２８Ｎのそれぞれに個別に送信することができる。例えば、メータ１２６が、建造物の複数の階に配置された温度計を華氏７４度に設定するためのマルチキャストメッセージを受信する場合、メータ装置１２６は、メッセージを、適切なＤＬＲＣ装置１２８Ａ〜１２８Ｎ、すなわちこの特定の例では温度計に宛てた複数のユニキャストメッセージに変えなければならない。
【００２３】
本明細書に記載する様々な命令、方法、および技術は、１つもしくは複数のコンピュータまたは他の装置によって実行される、プログラムモジュールなどの、コンピュータ実行可能な命令の一般的なコンテキストで検討することができる。一般に、プログラムモジュールは、特定のタスクを実行するまたは特定の抽象データ型を実装するための、ルーチン、プログラム、オブジェクト、コンポーネント、データ構造などを含む。これらのプログラムモジュールなどは、ネイティブコード（ｎａｔｉｖｅ  ｃｏｄｅ）として実行することができる、または、例えばバーチャルマシンもしくは他のジャストインタイムコンパイル実行環境で、ダウンロードして、実行することができる。一般的には、プログラムモジュールの機能は、様々な実施形態において要望通りに結合する、または分散することができる。これらのモジュールおよび技術の実装は、何らかの形式のコンピュータ可読記憶媒体に格納することができる。
【００２４】
図１に示す例示のヘッドエンドサーバ１２０は、単に例として提供する。数多くの他の動作環境、システムアーキテクチャ、および装置構成が考えられる。したがって、本開示の実施形態は、いずれかの特定の動作環境、システムアーキテクチャ、または装置構成に限定されると考えられるべきではない。
【００２５】
図２は、ＤＬＲＣメッセージを送信するための例示的ＡＭＩネットワーク装置システムの概略図である。ＡＭＩネットワーク装置２０２は、少なくともメモリ２１４と、１つまたは複数の処理ユニット（プロセッサ）２０４とを含むことができる。１つまたは複数のプロセッサ２０４は、必要に応じてハードウェア、ソフトウェア、ファームウェア、またはその組合せで実装することができる。１つまたは複数のプロセッサ２０４のソフトウェアまたはファームウェアの実装は、記載する様々な機能を行うように任意の好適なプログラミング言語で書かれたコンピュータ実行可能命令または機械実行可能命令を含むことができる。
【００２６】
メモリ２１４は、１つまたは複数のプロセッサ２０４でロード可能および実行可能なプログラム命令、ならびにこれらのプログラムの実行中に生成されるデータを格納することができる。ＡＭＩネットワーク装置２０２の構成および型に応じて、メモリ２１４は、揮発性（例えばランダムアクセスメモリ（ＲＡＭ）など）および／または不揮発性（例えばリードオンリメモリ（ＲＯＭ）、フラッシュメモリなど）とすることができる。またＡＭＩネットワーク装置２０２は、磁気記憶装置、光ディスク、および／またはテープ記憶装置など、ただしこれらに限定されない、追加の取り外し可能な記憶装置２１０および／または取り外し不可能な記憶装置２１２を含むことができる。ディスクドライブおよびそれに関連するコンピュータ可読媒体は、コンピュータ可読命令、データ構造、プログラムモジュール、および他のデータの不揮発性記憶装置をコンピュータ装置に提供する。いくつかの実施において、メモリ２１４は、スタティックランダムアクセスメモリ（ＳＲＡＭ）、ダイナミックランダムアクセスメモリ（ＤＲＡＭ）またはＲＯＭのような、複数の異なる型のメモリを含むことができる。
【００２７】
メモリ２１４、取り外し可能な記憶装置２１０、および取り外し不可能な記憶装置２１２は、すべてコンピュータ可読記憶媒体の例である。例えば、コンピュータ可読記憶媒体は、コンピュータ可読の命令、データ構造、プログラムモジュール、または他のデータなどの情報を格納する方法または技術で実現された揮発性および不揮発性の、取り外し可能および取り外し不可能な媒体を含むことができる。メモリ２１４、取り外し可能な記憶装置２１０、および取り外し不可能な記憶装置２１２は、すべてコンピュータ格納媒体の例である。存在することができるコンピュータ記憶媒体のさらなる型は、プログラマブルランダムアクセスメモリ（ＰＲＡＭ）、ＳＲＡＭ、ＤＲＡＭ、ＲＡＭ、ＲＯＭ、電気的消去可能リードオンリメモリ（ＥＥＰＲＯＭ）、フラッシュメモリ、または他のメモリ技術、コンパクトディスクリードオンリメモリ（ＣＤ−ＲＯＭ）、デジタル多用途ディスク（ＤＶＤ）または他の光記憶装置、磁気カセット、磁気テープ、磁気ディスク記憶装置または他の磁気記憶装置、または、所望の情報を格納するために使用することができ、サーバもしくは他のコンピュータ装置がアクセスすることができる他の媒体を含むが、これらに限定されない。上述のいずれかの組合せもまた、コンピュータ可読媒体の範囲内に含まれなければならない。あるいは、コンピュータ可読通信媒体が、コンピュータ可読命令、プログラムモジュール、または搬送波、もしくは他の伝送のような、データ信号内で伝送される他のデータを含むことができる。しかしながら、本明細書で使用するコンピュータ可読記憶媒体は、コンピュータ可読通信媒体を含まない。
【００２８】
ＡＭＩネットワーク装置２０２はまた、格納されターデータベース、別のコンピュータ装置もしくはサーバ、ユーザ端末、および／またはネットワーク１２２のような、ただしこれに限定されないネットワーク上の他の装置との通信を可能にすることができる１つまたは複数の通信接続２２２を含むことができる。ＡＭＩネットワーク装置２０２はまた、キーボード、マウス、ペン、音声入力装置、タッチ入力装置などのような（１つまたは複数の）入力装置２０６と、ディスプレイ、スピーカ、プリンタなどのような（１つまたは複数の）出力装置２０８とを含むこともできる。
【００２９】
メモリ２１４の内容をより詳細に見ると、メモリ２１４は、オペレーティングシステム２１６と、ユニキャストモジュール２１８を含む、本明細書に開示する機能を実行するための１つもしくは複数のアプリケーションプログラムまたはサービスと含むことができる。ユニキャストモジュール２１８は、入力としてマルチキャストメッセージを受信し、複数のユニキャストメッセージとしてマルチキャストメッセージを復号することができる。例えば、マルチキャストメッセージは、ＤＲＬＣ装置１２８Ａ〜１２８Ｎのグループを示す識別コードを有することができる。ユニキャストモジュール２１８は、これらのメッセージを、ＤＲＬＣ装置１２８（Ａ〜Ｎ）のそれぞれのユニキャストメッセージに変換することができる。
【００３０】
図３は、上述のように、ＤＲＬＣメッセージングを実行するためのプロセス３００の例示的流れ図を示す。
【００３１】
この特定の実行では、プロセス３００は、図３のブロック３０２から始まることができ、ここでプロセス３００は、マルチキャストの負荷制御命令を受信することができる。一部の例では、所望の負荷条件を決定することは、ユーザの制御設定、需要応答設定、ピーク負荷時間および／または間隔、消費統計、および／または１つもしくは複数のメータの出荷時設定、ＡＭＩ無線通信、および／またはＨＡＮ無線通信（もしくは装置）に一部基づいて、決定を行うことを含むことができる。したがって、ブロック３０２において決定される負荷制御構成は、低電力モードの開始時間、低電力モードの停止時間、低電力モードの間隔、どの構成要素を、どれくらいの期間、低電力モードにするかについての１つまたは複数の設定を含むことができる（例えば、ある設定は、ピーク負荷時間の間ディスプレイ画面をオフにすべきであることを示すことができ、別の設定は、測定が単に１０秒毎、３０秒毎、６０秒毎などに、行われるべきであることを示すことができる）。
【００３２】
ブロック３０４において、プロセス３００は、受信したマルチキャストの負荷制御メッセージからユニキャストの負荷制御命令を生成することができる。さらに、一部の態様では、ユニキャストの負荷制御命令は、ハイパーテキストマークアップ言語（Ｈｙｐｅｒｔｅｘｔ  Ｍａｒｋｕｐ  Ｌａｎｇｕａｇｅ、ＨＴＭＬ）、拡張可能マークアップ言語（Ｅｘｔｅｎｓｉｂｌｅ  Ｍａｒｋｕｐ  Ｌａｎｇｕａｇｅ、ＸＭＬ）、簡易オブジェクトアクセスプロトコル（Ｓｉｍｐｌｅ  Ｏｂｊｅｃｔ  Ａｃｃｅｓｓ  Ｐｒｏｔｏｃｏｌ、ＳＯＡＰ）、ハイパーテキスト転送プロトコル（Ｈｙｐｅｒｔｅｘｔ  Ｔｒａｎｓｆｅｒ  Ｐｒｏｔｏｃｏｌ、ＨＴＴＰ）、簡易メール転送プロトコル（Ｓｉｍｐｌｅ  Ｍａｉｌ  Ｔｒａｎｓｆｅｒ  Ｐｒｏｔｏｃｏｌ、ＳＭＴＰ）、テキストメッセージ、または他の任意の機械可読形式などの、ただしこれらに限定されない、任意の形式でフォーマットすることができる。ブロック３０６において、プロセス３００は、ユニキャストの負荷制御命令をそれぞれ適切なＤＲＬＣ装置１２８Ａ〜１２８Ｎに送信することによって、終了することができる。このように、メッセージは、高ピーク時中に、および／またはユーザの設定もしくは嗜好に基づいて、送電網の負荷を低減するために、メータ、ＡＭＩ無線通信、および／またはＨＡＮ装置に制御命令を提供することができる。
【００３３】
需要応答ネットワーク装置の負荷制御を実施するための例示的方法およびシステムについて上述した。これらのシステムおよび方法の一部または全部は、必ずしもそうではないが、上記の図１〜２に示すようなアーキテクチャによって少なくとも部分的に実装することができる。
【００３４】
構造的特徴および／または方法論的行為に特有の用語で実施形態について説明したが、開示は記載した特定の特徴または行為に必ずしも限定されないことを理解されたい。むしろ特定の特徴および行為は、実施形態を実施する例示的な形式として開示している。
【符号の説明】
【００３５】
１００  システム
１０２  （１つまたは複数の）プロセッサ
１０４  （１つまたは複数の）入力装置
１０６  （１つまたは複数の）出力装置
１０８  取り外し可能な記憶装置
１１０  取り外し不可能な記憶装置
１１２  メモリ
１１４  オペレーティングシステム
１１６  マルチキャストモジュール
１１８  （１つまたは複数の）通信接続
１２０  ヘッドエンドサーバ
１２２  ネットワーク
１２４  ＡＭＩネットワーク装置
１２６  メータ
１２８Ａ  ＤＲＬＣ装置
１２８Ｂ  ＤＲＬＣ装置
１２８Ｎ  ＤＲＬＣ装置
２０２  ＡＭＩネットワーク装置
２０４  （１つまたは複数の）プロセッサ
２０６  （１つまたは複数の）入力装置
２０８  （１つまたは複数の）出力装置
２１０  取り外し可能な記憶装置
２１２  取り外し不可能な記憶装置
２１４  メモリ
２１６  オペレーティングシステム
２１８  ユニキャストモジュール
２２２  （１つまたは複数の）通信接続
３００  プロセス
３０２  ブロック
３０４  ブロック
３０６  ブロック
【図１】
2014142932.tif 000003
【図２】
2014142932.tif 000004
【図３】
2014142932.tif 000005